(57)【要約】【課題】  磁性壁に強力な磁力を有する磁石盤を取付ける際、磁性壁を傷付けず、垂下壁だけでなく斜壁や天井にも対応でき、微調整が可能で、吊り下げ力を簡単に増強できるマグネットフックを提供することを目的とする。【解決手段】  磁性壁に磁着する磁石盤と、同一軸線上に位置しワイヤーケース部と前記磁石盤に螺着するネジ部を有し、ワイヤーケース部の軸線と直交する中央部に、底部に座部を形成した止め穴を凹設し、止め穴の座部より止め穴より小径の貫通孔を設け、ワイヤーケース部端面より前記止め穴および貫通孔に連通する案内溝を刻設したワイヤーケースと、ハンガーを装着するワイヤーの上端に固着した球体を止め穴の座部に着座させ、ワイヤーを貫通孔あるいは案内溝に位置させるハンガー部とよりなるマグネットフックとした。【選択図】  図２
2008043561.tif 000002
【特許請求の範囲】
【請求項１】
磁性壁に、解除ボルトを螺着した磁石盤の解除ボルト先端を当接させて、解除ボルトを左回転あるいは右回転させて磁石盤を磁性壁に固定あるいは解除させるようにしたマグネットフック。
【請求項２】
磁性壁に磁着する磁石盤と、同一軸線上に位置しワイヤーケース部と前記磁石盤に螺着するネジ部を有し、ワイヤーケース部の軸線と直交する中央部に、底部に座部を形成した止め穴を凹設し、止め穴の座部より止め穴より小径の貫通孔を設け、ワイヤーケース部端面より前記止め穴および貫通孔に連通する案内溝を刻設したワイヤーケースと、ハンガーを装着するワイヤーの上端に固着した球体を止め穴の座部に着座させ、ワイヤーを貫通孔あるいは案内溝に位置させるハンガー部とよりなるマグネットフック。
【請求項３】
請求項２記載のマグネットフックの磁石盤と、前記磁石盤より上部に磁着させた別個の磁石盤との間に、長孔を刻設した板製のマグネットフック連結バーを架設し、それぞれのワイヤーケースの軸部を長孔下部、長孔上部に挿入し、磁石盤に螺着させ、ワイヤーにフックを装着させてなるマグネットフック。
【発明の詳細な説明】
【技術分野】
【０００１】
本発明は、美術館や博物館で展示物を吊り下げるマグネットフックに関するものである。
【背景技術】
【０００２】
マグネットフックは、磁性壁に磁石盤を介してフックを装着したワイヤーを吊り下げるものである。
【０００３】
磁性壁に強力な磁力を有する磁石盤を取付ける際、傷が付きやすいものである。また、垂下壁に取付けていた１個のマグネットフックでは、斜壁や天井には対応できなかった。さらに、微調整が可能なマグネットフックも存在しない。さらにその上に、マグネットフックでは吊り下げ力を簡単に補強できない。
【特許文献１】特公平０７−０２８７８９号公報
【発明の開示】
【発明が解決しようとする課題】
【０００４】
磁性壁に強力な磁力を有する磁石盤を取付ける際、磁性壁を傷付けず、垂下壁だけでなく斜壁や天井にも対応でき、微調整が可能で、吊り下げ力を簡単に増強できるマグネットフックの提供が待たれている。
【課題を解決するための手段】
【０００５】
そこで、本発明は、上記の事情に鑑み、磁性壁に強力な磁力を有する磁石盤を取付ける際、傷を付けないようにすべく、磁性壁に、解除ボルトを螺着した磁石盤の解除ボルト先端を当接させて、解除ボルトを左回転あるいは右回転させて磁石盤を磁性壁に固定あるいは解除させるようにしたマグネットフックとした。
【０００６】
また、本発明は、磁性壁に強力な磁力を有する磁石盤を取付ける際、磁性壁を傷付けず、垂下壁だけでなく斜壁や天井にも対応でき、微調整が可能で吊り下げ力を簡単に補強できるマグネットフックを可能とすべく、磁性壁に磁着する磁石盤と、同一軸線上に位置しワイヤーケース部と前記磁石盤に螺着するネジ部を有し、ワイヤーケース部の軸線と直交する中央部に、底部に座部を形成した止め穴を凹設し、止め穴の座部より止め穴より小径の貫通孔を設け、ワイヤーケース部端面より前記止め穴および貫通孔に連通する案内溝を刻設したワイヤーケースと、ハンガーを装着するワイヤーの上端に固着した球体を止め穴の座部に着座させ、ワイヤーを貫通孔あるいは案内溝に位置させるハンガー部とよりなるマグネットフックとした。
【０００７】
さらに、本発明は、吊り下げ力を簡単に増強できるようにすべく、マグネットフックの磁石盤と、前記磁石盤より上部に磁着させた別個の磁石盤との間に、長孔を刻設した板製のマグネットフック連結バーを架設し、それぞれのワイヤーケースの軸部を長孔下部、長孔上部に挿入し、磁石盤に螺着させ、ワイヤーにフックを装着させてなるマグネットフックとした。
【発明の効果】
【０００８】
本発明は、磁性壁に、解除ボルトを螺着した磁石盤の解除ボルト先端を当接させて、解除ボルトを左回転あるいは右回転させて磁石盤を磁性壁に固定あるいは解除させるようにしたので、磁性壁に強力な磁力を有する磁石盤を取付ける際、傷を付けないマグネットフックである。
【０００９】
また、本発明は、磁性壁に磁着する磁石盤と、同一軸線上に位置しワイヤーケース部と前記磁石盤に螺着するネジ部を有し、ワイヤーケース部の軸線と直交する中央部に、底部に座部を形成した止め穴を凹設し、止め穴の座部より止め穴より小径の貫通孔を設け、ワイヤーケース部端面より前記止め穴および貫通孔に連通する案内溝を刻設したワイヤーケースと、ハンガーを装着するワイヤーの上端に固着した球体を止め穴の座部に着座させ、ワイヤーを貫通孔あるいは案内溝に位置させるハンガー部とよりなるマグネットフックであるので、磁性壁に強力な磁力を有する磁石盤を取付ける際、磁性壁を傷付けず、垂下壁だけでなく斜壁や天井にも対応でき、微調整が可能で、吊り下げ力を簡単に補強できるマグネットフックである。
【００１０】
さらに、本発明は、マグネットフックの磁石盤と、前記磁石盤より上部に磁着させた別個の磁石盤との間に、長孔を刻設した板製のマグネットフック連結バーを架設し、それぞれのワイヤーケースの軸部を長孔下部、長孔上部に挿入し、磁石盤に螺着させ、ワイヤーにフックを装着させてなるマグネットフックであるので、吊り下げ力を簡単に増強することができる。
【発明を実施するための最良の形態】
【００１１】
本発明は、図１に示すように、磁性壁１に、解除ボルト２を螺着した磁石盤３の解除ボルト２先端を当接させ、解除ボルト２を左回転あるいは右回転させて磁石盤３を磁性壁１に固定あるいは解除させる。
【００１２】
図２の右図はワイヤー４に装着されたフック５がワイヤーケース６を介して磁石盤３に螺着された右側面図、図２の左図はワイヤー４に装着されたフック５がワイヤーケース６を介して磁石盤３に螺着された正面図である。図２の右図には垂下壁だけでなく斜壁や天井にも吊り下げられることが示されている。
【００１３】
図２の左図にはフック５が左右に若干調整が可能なことが示されている。
【００１４】
図３は磁石盤３の正面図、側面図、縦断面図の３面図である。
【００１５】
磁石盤３は、円盤状で、スチール製のカバー７は、クロメートメッキ仕上げが施され、その磁性壁１との接触面にリング型の磁石８が圧入固着され、中央にネジ山９が刻設してある。磁石盤３の両側部には、解除ボルト２を回転させる際、共回りを防止するために穴１０が凹設してある。
【００１６】
図４は、解除ボルト１１の正面図と側面図の２面図である。解除ボルト１１は真鍮製でクロームメッキされその頭部１２と軸部１３とよりなり、頭部１２は円盤状で対向する両側部を平面１４に形成し、解除ボルト１１のスパナ等での回転が容易なるようにしてある。軸部１３には外周にネジ山１５が刻設してあって、先端に磁性壁１に当接した際、傷を付けないため樹脂製の当板１６が設けてある。
【００１７】
図５には、ワイヤーケース６の正面図、平面図、側面図の３面図である。
【００１８】
ワイヤーケース６は、同一軸線１７上にワイヤーケース部１８と前記磁石盤３のネジ山９に螺着し、ワイヤーケース部１８より小径のネジ部１９を有する。ワイヤーケース部１８の軸線１７と直交する中央部に、底部に座部２０を形成した止め穴２１を凹設する。この止め穴２１の座部２０から止め穴２１より小径の貫通孔２２を垂設する。ワイヤーケース部１８端面２３より前記止め孔２１および貫通孔２２に連通する案内溝２４を刻設する。
【００１９】
図６にワイヤーケース６の斜視図を示す。
【００２０】
図７はマグネットフック連結バーの平面図を示す。
【００２１】
マグネットフック連結バー２５は、ステンレス板製で楕円形状で中心に長孔２６が刻設してあり、ヘアーライン仕上げがしてある。
【００２２】
図１で、磁石盤３を磁性壁１に傷を付けないように固定したり、解除したりすることについて説明する。
【００２３】
解除ボルト２のネジ部１３のネジ山１５には磁石盤３が螺着され、先端の当板１６が磁性壁１に当接されている。
【００２４】
この磁石盤３を磁性壁１に固定するには、解除ボルト２を左回転させると解除ボルト２のネジ山１５、磁石盤３のネジ山９は右ネジであるので、磁石盤３は磁性壁１に近づき、やがて磁性壁１に磁着する。磁性壁３と磁性壁１との磁力は強力であるので、磁石盤３を単に手で保持して磁性壁１に近づけると、磁石盤３は磁性壁１に強力に吸引されて磁性壁１を傷付ける。本発明によると、解除ボルト２を回転させて磁石盤３で磁性壁１を傷付けることはない。磁石盤３の側壁に設けた穴１０は解除ボルト２が磁石盤３と共回りしないように両側の穴１０にピン（図示せず）を挿入して保持させるものである。
【００２５】
磁性壁１に磁着した磁石盤３を取り外し解除するには、解除ボルト２を右回転させると、磁石盤３は磁性壁１から離れる。磁石盤３が磁性壁１から離れる際も解除ボルト２の回転により徐々に離れるので、磁性壁１を傷付けることはない。
【００２６】
図２の右図により、フック５が垂下壁だけでなく、斜壁や天井にも吊り下げられることを説明する。
【００２７】
前記のようにして磁性壁１に磁石盤３が固定される。
【００２８】
美術館や博物館の展示物を吊り下げるフック５を取付けるには、磁石盤３から解除ボルト２を取り外し、解除ボルト２に替えてワイヤーケース６を磁石盤３に螺着する。
【００２９】
続いて、フック５を装着し、ワイヤーケース６の貫通孔２２を挿通したワイヤー４の先端に固着した球体２７を、ワイヤーケース６の止め穴２１の座部２０に着座させる。符号２８は展示物や吊り下げる鉤である。
【００３０】
磁性壁１が垂下壁の場合は、図示のようにして展示物を吊り下げる。
【００３１】
磁性壁１が傾斜壁の場合は、磁石盤３が傾斜壁に取付けられ、球体２７は止め穴２１の座部２０に着座したままで、ワイヤー４1 はワイヤーケース６の案内溝２４内を揺動して図示のワイヤー４1 の状態となる。
【００３２】
磁性壁１が天井の場合は、磁石盤３が天井に取付けられ、球体２７の止め穴２１の座部２０に着座したままで、ワイヤー４2 はワイヤーケース６の案内溝２４内を揺動して図示のワイヤー４2 の状態となる。
【００３３】
図２の左図により、フック５が左右に若干調整可能なことについて説明する。
【００３４】
ワイヤーケース６の貫通孔２２の直径は、例えば４ｍｍ、ワイヤー４の直径は２ｍｍであるので、若干調整可能でフック５を左右配置できる。
【００３５】
磁性壁１と１個の磁力盤３では吊り下げ力に限界があるが、磁石盤３を増加して簡単に吊り下げ力の増強ができる。図８、図９により磁石盤３の増強例を示す。
【００３６】
図８では、磁石盤３によりワイヤーケース６を介して、フック５が吊り下げられている。
【００３７】
さらに磁石盤３1 を上方に配置し、この磁石盤３と磁石盤３1 とにマグネットフック連結バー２５を架設し、それぞれのワイヤーケース６のネジ部１９を長孔２６下部、長孔２６上部に挿入させ、ネジ部１９を磁石盤３、磁石盤３1 に螺合させる。このように２個の磁石盤３、磁石盤３1 よりなり、フック５の荷重を支持することになり、簡単に吊り下げ力が増強できる。
【００３８】
図９では２個の磁石盤３1 、磁石盤３2 を追加して吊り下げ力を増強した例を示す。
【００３９】
図９では、磁石盤３によりワイヤーケース６を介してフック５が吊り下げられている。      
【００４０】
さらに、磁石盤３1 、磁石盤３2 を上方に配置し、この磁石盤３と磁石盤３1 磁石盤３2 とにマグネットフック連結バー２５を架設し、それぞれのワイヤーケースのネジ部１９を長孔２６下部、長孔２６上部に挿入させ、ネジ部１９を磁石盤３、磁石盤３1 、磁石盤３2 に螺合させる。このように３個の磁石盤３、磁石盤３1 、磁石盤３2 によりフック５の荷重を支持することにより、簡単に吊り下げ力を増強できる。
【００４１】
「実施例１」
磁石盤直径４５ｍｍ、厚さ１０ｍｍ、解除ボルト最大径２９ｍｍ、長さ３３ｍｍ、ワイヤーケース最大径１９ｍｍ、長さ２１ｍｍである。
【産業上の利用可能性】
【００４２】
本発明のマグネットフックは、主として美術館や博物館の展示物の吊り下げ用として用いられるものについて述べたが、これに限定されず一般産業用のマグネットフックとしても利用することができる。
【図面の簡単な説明】
【００４３】
【図１】磁石盤を解除ボルトを用いて磁性壁に固定あるいは解除する状態を説明する本発明の側面図である。
【図２】右図はワイヤーに装着されたフックがワイヤーケースを介して磁石盤に螺着された本発明のマグネットフックの右側面図、左図はワイヤーに装着されたフックがワイヤーケースを介して磁石盤に螺着された本発明のマグネットフックの正面図である。
【図３】本発明の磁石盤の正面図、側面図、縦断面図の３面図である。
【図４】本発明の解除ボルトの正面図と側面図の２面図である。
【図５】本発明のワイヤーケースの正面図、平面図、側面図の３面図である。
【図６】本発明のワイヤーケースの斜視図を示す。
【図７】本発明のマグネットフック連結バーの平面図を示す。
【図８】磁石盤１個を追加してフックの吊り下げ力を増強したマグネットフックの本発明の正面図である。
【図９】磁石盤２個を追加してフックの吊り下げ力を増強したマグネットフックの本発明の正面図である。
【符号の説明】
【００４４】
１…磁性壁
２…解除ボルト
３…磁石盤
１８…ワイヤーケース部                                                          １９…ネジ部
１７…軸線（ワイヤーケース部）
２０…座部
２１…止め穴
２２…貫通孔
２３…ワイヤーケース部端面
２４…案内溝
６…ワイヤーケース
５…ハンガー
４…ワイヤー
２７…球体
２６…長孔
２５…マグネットフック連結バー
【図１】
2008043561.tif 000003
【図２】
2008043561.tif 000004
【図３】
2008043561.tif 000005
【図４】
2008043561.tif 000006
【図５】
2008043561.tif 000007
【図６】
2008043561.tif 000008
【図７】
2008043561.tif 000009
【図８】
2008043561.tif 000010
【図９】
2008043561.tif 000011